(57)【要約】【課題】顎をあげることなく液状物を飲むことができ、製造が簡単であり、廃棄物を減量化することができるコップを提供する。【解決手段】シート状の基材１１を略円錐状に丸めて形成されており、下端に頂点１０ａ　が形成され、上端に開口部１０ｈ　が形成されている。略円錐状に形成されているから、母線１０ｃ　の傾きを大きくすることができる。よって、コップ１０内の液状物ＬＭの量が少なくなったときに、従来のコップよりも少ない傾きでコップ１０内の液状物ＬＭを確実に口に流し込むことができるから、少量の液状物ＬＭを飲むときでも顎をあげる量を少なくすることができ、誤嚥を防ぐことができる。また、シート上の基材１１を略円錐状に丸めているだけであるから、簡単に製造することができる。しかも、原材料を少なくすることができるし、廃棄物を減量化することができる。【選択図】　　　　図１
2004091035.tif 000002
【特許請求の範囲】
【請求項１】
下端に頂点を有し、上端に開口部が形成された、中空な略円錐状の容器であることを特徴とするコップ。
【請求項２】
側面視で、前記頂点を挟む角の角度が、
１６〜１１２　度である
ことを特徴とする請求項１記載のコップ。
【請求項３】
上端に切欠きが形成されている
ことを特徴とする請求項１記載のコップ。
【請求項４】
前記容器が、シート状の基材を略円錐状に丸めて形成された
ことを特徴とする請求項１記載のコップ。
【請求項５】
前記基材が、展開した状態において多角形であり、
一の頂点を形成する辺同士が重なり合うように丸めている
ことを特徴とする請求項４記載のコップ。
【請求項６】
前記基材が、前記一の頂点を形成する２つの辺の間に形成される角の二等分線に対して対称な多角形である
ことを特徴とする請求項５記載のコップ。
【請求項７】
前記基材が、展開した状態において二等辺三角形であり、底辺と他の２辺によって形成される２つの頂点が、底辺と他の２辺を結ぶ一対の斜辺が形成されるように切り取られている
ことを特徴とする請求項６記載のコップ。
【請求項８】
前記基材が、展開した状態において四角形である
ことを特徴とする請求項６記載のコップ。
【請求項９】
前記基材が、前記一の頂点と対向する対向頂点が、該対向頂点を形成する辺同士を結ぶ斜辺が形成されるように切り取られている
ことを特徴とする請求項８記載のコップ。
【請求項１０】
上端に開口部が形成された容器であって、
該容器が、シート状の基材を折り曲げて形成された
ことを特徴とするコップ。
【請求項１１】
前記容器が、側面視で、側辺が中心線に対してなす角の角度が、
８〜５６度である
ことを特徴とする請求項１０記載のコップ。
【請求項１２】
上端に切欠きが形成されている
ことを特徴とする請求項１０記載のコップ。
【請求項１３】
前記基材が、展開した状態において左右対称な多角形であり、
前記容器が、
前記基材を、その対称軸で折り曲げて、重なり合った辺同士を貼り合わせて形成されており、
その上端縁に、前記基材の一の頂点が配置される
ことを特徴とする請求項１０記載のコップ。
【請求項１４】
前記基材が、展開した状態において四角形であり、
前記容器が、一の頂点を形成する辺同士を貼り合わせて形成されている
ことを特徴とする請求項１３記載のコップ。
【請求項１５】
前記基材が、前記一の頂点の対角線に位置する対向頂点が、該対向頂点を形成する辺同士を結ぶ斜辺が形成されるように切り取られている
ことを特徴とする請求項１４記載のコップ。
【請求項１６】
前記容器の下端に底辺が形成されている
ことを特徴とする請求項１０記載のコップ。
【請求項１７】
前記基材の素材が紙である
ことを特徴とする請求項１または１０記載のコップ。
【発明の詳細な説明】
【０００１】
【発明の属する技術分野】
本発明は、コップに関する。さらに詳しくは、例えば水や牛乳、清涼飲料等の液状の食品や、例えばバリウム製剤等の液状の医薬品（以下、液状の食品と液状の医薬品とを合わせて液状物という）を飲む際に、顎をあげて上を向かなくても、容器内の全ての液状の医薬品や食品を飲み干すことができるコップに関する。
【０００２】
【従来の技術】
通常のコップ、例えば市販の紙コップ等は、側面視で、上辺が長い台形状をしたものが一般的である。このようなコップを用いて、例えば水や牛乳、清涼飲料等の液状の食品や、例えばバリウム製剤等の液状の医薬品（以下、液状の食品と液状の医薬品とを合わせて液状物という）を飲む場合、コップの底部を持ち上げて傾ければ、コップ内の液状物を口に流し込むことができる。
【０００３】
【発明が解決しようとする課題】
しかるに、コップ内の液状物の量が少なくなると、コップの傾きを大きくしなければコップ内の液状物を口に流し込むことができない。しかし、コップの傾きを大きくするとコップの上端縁が鼻にあたってしまいそれ以上はコップを傾けられないので、顎を上げてコップの傾きを大きくして残っている液状物を飲まなければならない。しかし、顎を上げた場合には気道が確保される体勢となるため、健常者であれば誤嚥を起こすことなく無事に液状物を飲むことができても、嚥下機能に障害を持つ人の場合、気道への誤嚥を誘発してしまう可能性がある。
【０００４】
本発明はかかる事情に鑑み、顎をあげることなく液状物を飲むことができ、製造が簡単であり、廃棄物を減量化することができるコップを提供することを目的とする。
【０００５】
【課題を解決するための手段】
請求項１のコップは、下端に頂点を有し、上端に開口部が形成された、中空な略円錐状の容器であることを特徴とする。
請求項２のコップは、請求項１記載の発明において、側面視で、前記頂点を挟む角の角度が、１６〜１１２　度であることを特徴とする。
請求項３のコップは、請求項１記載の発明において、上端に切欠きが形成されていることを特徴とする。
請求項４のコップは、請求項１記載の発明において、前記容器が、シート状の基材を略円錐状に丸めて形成されたことを特徴とする。
請求項５のコップは、請求項４記載の発明において、前記基材が、展開した状態において多角形であり、一の頂点を形成する辺同士が重なり合うように丸めていることを特徴とする。
請求項６のコップは、請求項５記載の発明において、前記基材が、前記一の頂点を形成する２つの辺の間に形成される角の二等分線に対して対称な多角形であることを特徴とする。
請求項７のコップは、請求項６記載の発明において、前記基材が、展開した状態において二等辺三角形であり、底辺と他の２辺によって形成される２つの頂点が、底辺と他の２辺を結ぶ一対の斜辺が形成されるように切り取られていることを特徴とする。
請求項８のコップは、請求項６記載の発明において、前記基材が、展開した状態において四角形であることを特徴とする。
請求項９のコップは、請求項８記載の発明において、前記基材が、前記一の頂点と対向する対向頂点が、該対向頂点を形成する辺同士を結ぶ斜辺が形成されるように切り取られていることを特徴とする。
請求項１０のコップは、上端に開口部が形成された容器であって、該容器が、シート状の基材を折り曲げて形成されたことを特徴とする。
請求項１１のコップは、請求項１０記載の発明において、前記容器が、側面視で、側辺が中心線に対してなす角の角度が、８〜５６度であることを特徴とする。
請求項１２のコップは、請求項１０記載の発明において、上端に切欠きが形成されていることを特徴とする。
請求項１３のコップは、請求項１０記載の発明において、前記基材が、展開した状態において左右対称な多角形であり、前記容器が、前記基材を、その対称軸で折り曲げて、重なり合った辺同士を貼り合わせて形成されており、その上端縁に、前記基材の一の頂点が配置されることを特徴とする。
請求項１４のコップは、請求項１３記載の発明において、前記基材が、展開した状態において四角形であり、前記容器が、一の頂点を形成する辺同士を貼り合わせて形成されていることを特徴とする。
請求項１５のコップは、請求項１４記載の発明において、前記基材が、前記一の頂点の対角線に位置する対向頂点が、該対向頂点を形成する辺同士を結ぶ斜辺が形成されるように切り取られていることを特徴とする。
請求項１６のコップは、請求項１０記載の発明において、前記容器の下端に底辺が形成されていることを特徴とする。
請求項１７のコップは、請求項１または１０記載の発明において、前記基材の素材が紙であることを特徴とする。
【０００６】
請求項１の発明によれば、略円錐状に形成されているから、容器の中心線に対する側面の傾きを大きくすることができる。よって、コップ内の液状物の量が少なくなったときに、従来のコップよりも少ない傾きでコップ内の液状物を確実に口に流し込むことができるから、少量の液状物を飲むときでも、顎をあげる必要がなかったり、また顎をあげたとしてもその量を少なくすることができ、誤嚥を防ぐことができる。
請求項２の発明によれば、コップとしての機能を確保したまま、従来から使用されているコップに比べて、容器の中心線に対する母線の傾きを大きくすることができるので、容器内の液状物を確実に飲むことができる。しかも、従来のコップよりも少ない傾きでコップ内の液状物を確実に全部口に流し込むことができるから、顎をあげる必要がなかったり、また顎をあげたとしてもその量を少なくすることができ、誤嚥を防ぐことができる。
請求項３の発明によれば、コップの上端において、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項４の発明によれば、シート上の基材を略円錐状に丸めているだけであるから、簡単に製造することができる。しかも、原材料を少なくすることができるし、廃棄物を減量化することができる。
請求項５の発明によれば、基材が多角形であるから、この基材を、その一の頂点を形成する２辺が重なり合うように丸めれば、その２辺によって形成される頂点を下端とする略円錐状のコップを形成することができる。しかも、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。
請求項６の発明によれば、基材が、一の頂点を形成する２つの辺の間に形成される角の二等分線に対して対称な多角形であるから、この基材を、その一の頂点を形成する２辺が重なり合うように丸めれば、コップの上端縁において、上端縁と下端との間の距離が最も長い部分が、上端縁と下端との間の距離が最も短い部分と対向する位置に配置される。よって、コップの上端縁において、その下端との間の距離が最も長い部分に口をつけて液状物を飲めば、コップを大きく傾けても、コップの上端縁が鼻に当たることをより確実に防ぐことができるので、顎を上げなくてもコップ内の液状物を全て飲み干すことができる。
請求項７の発明によれば、同じ長さの２辺を重ね合せれば、その２辺によって形成される頂点を下端とし、他の一辺を上端縁とする略円錐状のコップを形成することができる。また、コップの上端縁において、同じ長さの２辺を重ね合せた部分の両側に一対の斜辺が配置されるが、この２辺の長さが斜辺形成前の二等辺三角形の高さよりも長くなるように一対の斜辺を形成し、一対の斜辺に口を当てて液状物を飲めば、コップの上端縁と口とが当たる幅が広くなる。すると、コップの上端縁と口との間にできる隙間を小さくできるから、隙間から液状物がこぼれることを防ぐことができる。逆に、２辺の長さが斜辺形成前の二等辺三角形の高さよりも短くなるように一対の斜辺を形成すれば、コップの上端縁に切欠きが形成されるから、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項８の発明によれば、一の頂点を形成する２辺を重ね合せれば、その２辺によって形成される頂点を下端とし、他の２辺を上端縁とする略円錐状のコップを形成することができる。しかも、コップの上端縁において、一の頂点を形成する２辺を重ね合せた部分と下端との間の距離は、他の２辺によって形成される頂点と下端との間の距離よりも短くなる。したがって、他の２辺によって形成される頂点に口をつけて液状物を飲めば、コップを大きく傾けても、コップの上端縁が鼻に当たることを防ぐことができるので、顎を上げなくてもコップ内の液状物を全て飲み干すことができる。
請求項９の発明によれば、コップの上端縁と口とが当たる幅を広くすることができる。すると、コップの上端縁と口との間にできる隙間を小さくできるから、隙間から液状物がこぼれることを防ぐことができる。
請求項１０の発明によれば、シート上の基材を折り曲げているだけであるから、簡単に製造することができる。しかも、原材料を少なくすることができるし、廃棄物を減量化することができる。
請求項１１の発明によれば、コップとしての機能を確保したまま、従来から使用されているコップに比べて、容器の中心線に対する側辺の傾きを大きくすることができるので、容器内の液状物を確実に飲むことができる。しかも、従来のコップよりも少ない傾きでコップ内の液状物を確実に全部口に流し込むことができるから、顎をあげる必要がなかったり、また顎をあげたとしてもその量を少なくすることができ、誤嚥を防ぐことができる。
請求項１２の発明によれば、コップの上端において、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項１３の発明によれば、基材が左右対称な多角形であり、その対称軸でおり曲げて重なりあった辺同士を貼り付けており、しかも、上端縁に一の頂点が配置されている。このため、コップを、その上端縁と下端との間の距離が、上端縁の場所によって異なるように形成することができる。よって、上端縁と下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。
請求項１４の発明によれば、一の頂点を形成する２辺を重ね合せれば、その２辺によって形成される頂点を下端とし、他の２辺を上端縁とするコップを形成することができる。しかも、コップの上端縁において、他の２辺によって形成される頂点と下端との間の距離が、２辺を重ね合せた部分と下端との間の距離よりも長くなる。したがって、他の２辺によって形成される頂点に口をつけて液状物を飲めば、コップを大きく傾けても、コップの上端縁が鼻に当たることを防ぐことができるので、顎を上げなくてもコップ内の液状物を全て飲み干すことができる。
請求項１５の発明によれば、コップの上端縁と口とが当たる幅を広くすることができる。すると、コップの上端縁と口との間にできる隙間を小さくできるから、隙間から液状物がこぼれることを防ぐことができる。
請求項１６の発明によれば、コップの底に液状物が残ることを防ぐことができるので、コップ内の液状物を確実に全部飲み干すことができる。
請求項１７の発明によれば、廃棄処理が容易であるし、製造コストも安くすることができる。
【０００７】
【発明の実施の形態】
つぎに、本発明の実施形態を図面に基づき説明する。
まず、第１実施形態のコップ１０Ａを説明する。
図１は第１実施形態のコップ１０Ａの概略説明図であって、（Ａ）は斜視図であり、（Ｂ）は側面図である。図２は第１実施形態のコップ１０Ａを用いて液状物ＬＭを飲んでいる状況の概略説明図である。
【０００８】
図１に示すように、第１実施形態のコップ１０Ａは、略円錐状に形成されたものであり、その下端に頂点１０ａ　が形成され、上端に開口部１０ｈ　が形成されたものである。
そして、第１実施形態のコップ１０Ａは略円錐状であるから、通常のコップであればその中心線と側面とのなす角が、せいぜい６〜８度であるのに対し、母線１０ｃ　と開口部１０ｈ　に向かって垂直に下ろした垂線１０ｓ　とのなす角（以下、傾斜角Ａという）を８度以上、より詳しく言えば８〜５６度（側面視で頂点１０ａ　を挟む角の角度が１６〜１１２　度）とすることができる。つまり、第１実施形態のコップ１０Ａは、通常のコップに比べて、コップの中心線に対する母線１０ｃ　の傾きを大きくすることができる。
【０００９】
もし、傾斜角Ａが５６度より大きくなれば、容器の形状が皿に近い形状となり、液状物ＬＭが飲みにくくなるし、逆に傾斜角Ａが８度よりも小さくなると、従来のコップと同じような傾斜角となり、顎をあげなければ液状物ＬＭを飲むことができない。
【００１０】
上記のごとく、第１実施形態のコップ１０Ａは、傾斜角Ａが８〜５６度がとなるように形成された略円錐状の容器であり、コップとしての機能を確保したままで、従来から使用されているコップに比べて、コップ１０Ａの中心線に対する母線１０ｃ　の傾きを大きくしたものである。このため、コップ１０Ａ内の液状物ＬＭの量が少なくなったときに、従来のコップよりも少ない傾きで、あるいは傾けなくてもコップ１０Ａ内の液状物ＬＭを確実に口に流し込むことができるから、少量の液状物ＬＭを飲むときでも、顎をあげる必要がなかったり、また顎をあげる量を少なくすることができ、誤嚥を防ぐことができる。
【００１１】
ところで、開口部１０ｈ　の直径を確実に７．５ｃｍ以上とすれば、コップ１０Ａを大きく傾けても、開口部１０ｈ　内に鼻を確実に収容することができる（図２）。つまり、コップ１０Ａを大きく傾けても、その上端縁１０ｂ　が簡単に鼻に当たらないので、顎をあげる量が少なくても、コップ１０Ａ内の液状物ＬＭを確実に全部口に流し込むことができる。
コップ１０Ａの内容積Ｖと、開口部１０ｈ　の半径ｒとの関係は、コップ１０Ａの傾斜角Ａとコップ１０Ａの深さｈを用いて、以下の式で表される。
Ｖ＝（ｈ・π・ｒ２　）／３
ｒ＝ｈ・ｔａｎＡ
（ただし、Ａの単位はラジアン）
このため、コップ１０Ａの傾斜角Ａに応じて、コップ１０Ａの深さｈを変化させれば、コップ１０Ａの開口部１０ｈ　の直径を７．５ｃｍに保ったままで、所望の内容積Ｖのコップ１０Ａを形成することができる。
とくに、コップ１０Ａの傾斜角Ａを１１度以上２０度以下とすれば、コップ１０Ａの開口部１０ｈ　の直径を７．５ｃｍに保ったままで、コップ１０Ａの内容積Ｖが１５０　〜３００　ｍｌ、つまり液状物を一杯、特に胃Ｘ線検査時に硫酸バリウム造影剤を一杯飲むのに最適な内容量で、持ちやすいコップ１０Ａとすることができる。
【００１２】
なお、コップ１０Ａの開口部１０ｈ　の直径は７．５ｃｍ以上でもよく、コップ１０Ａを大きく傾けても、開口部１０ｈ　内に鼻を確実に収容することができる大きさであれば、とくに限定されない。
【００１３】
そして、図３に示すように、コップ１０Ａの上端縁１０ｂ　に切欠き１０ｇ　を形成すれば、開口部１０ｈ　の直径が７．５ｃｍ以下であったとしても、コップ１０Ａの上端縁１０ｂ　において、切欠き１０ｇ　が形成された部分と対向する部分に口をつけて液状物ＬＭを飲めば、コップ１０Ａを大きく傾けたときに、鼻を切欠き１０ｇ　に入れることができる。このため、コップ１０Ａを大きく傾けても、コップ１０Ａの上端縁１０ｂ　が鼻に当たることを防ぐことができるので、顎を上げなくてもコップ１０Ａ内の液状物ＬＭを全て飲み干すことができる。
【００１４】
第１実施形態のコップ１０Ａは、射出成形等、様々な方法で成形することができるが、扇形に形成されたシート上の基材１１を丸めて形成すれば、コップ１０Ａを簡単に製造することができるので、とくに好適である。この場合、コップ１０Ａの製造に使用される原材料を少なくすることができるし、廃棄物を減量化することもできる。
そして、基材１１の素材として、紙やポリエチレン、ポリスチレン、ポリ塩化ビニリデン等を使用すれば、廃棄処理が容易であるし、製造コストも安くすることができる。とくに、紙の場合には、折り畳みが容易であるから、廃棄物の容積を小さくすることができるし、焼却処理が可能であるから、廃棄物の処理が非常に容易になる。しかも、焼却処理しても有害物質が排出されないので、環境に悪影響を与えることを防ぐことができる。
なお、コップ１０Ａの素材が紙の場合、コップ１０Ａの内面に、疎水性、撥水性のコーティングをしておけば、コップ１０Ａに液状物ＬＭを収容したまま放置しても、紙に液状物ＬＭがしみ込んでコップ１０Ａの強度が低下して形が崩れたり、漏れが発生することを防ぐことができる。
【００１５】
また、基材１１を丸めてコップ１０を形成する場合、基材１１の形状を変えれば、簡単にコップ１０の形状を変えることができる。
【００１６】
図４に示すように、基材１１の形状を、展開した状態において二等辺三角形とした場合、頂点１１ａ　を形成する辺１１ｆ，１１ｆ　同士を重ね合せ、糊代１１ｐ　によって基材１１を辺１１ｆ，１１ｆ　同士を重ねた状態で固定すれば、頂点１１ａ　を頂点１０ａ　とし、辺１１ｂ　を上端縁１０ｂ　とするコップ１０Ｂを形成することができる。
しかも、コップ１０Ｂの上端縁１０ｂ　において、辺１１ｆ，１１ｆ　同士を重ね合せた部分Ｂ、つまり辺１１ｂ　の両端１１ｃ，１１ｃ　であった部分と頂点１０ａ　との間の距離Ｈ１が、辺１１ｂ　の中間部であった部分と頂点１０ａ　との間の距離Ｈ２よりも長くなる。したがって、辺１１ｆ，１１ｆ　同士を重ね合せた部分Ｂに口をつけて液状物ＬＭを飲めば、コップ１０Ｂを大きく傾けても、コップ１０Ｂの上端縁１０ｂ　が鼻に当たることを防ぐことができるので、顎を上げなくてもコップ１０Ｂ内の液状物ＬＭを全て飲み干すことができる。
【００１７】
そして、図５に示すように、基材１１として、前記頂点１１ｃ，１１ｃ　が、その頂点１１ｃ，１１ｃ　を挟む辺同士、つまり辺１１ｂ　と辺１１ｆ　とを結ぶ一対の斜辺１１ｄ，１１ｄ　が形成されるように切り取られた形状のものを使用し、辺１１ｆ，１１ｆ　同士が重なり合うように丸めてコップ１０Ｃを形成すれば、コップ１０Ｃの上端縁１０ｂ　において、辺１１ｆ，１１ｆ　同士を重ね合せた部分の両側に一対の斜辺１１ｄ，１１ｄ　が配置され、辺１０ｄ　が形成される（図５（ｃ））。この一対の斜辺１１ｄ，１１ｄ　を、辺１１ｆ，１１ｆ　の長さＬ１が、基材１１の頂点１０ａ　から辺１１ｂ　への垂線の長さ、つまり基材１１の高さＬＨよりも長くなるように形成すれば、距離Ｈ１は、距離Ｈ２よりも長くなる。すると、一対の斜辺１１ｄ，１１ｄ　に口を当てて液状物ＬＭを飲めば、コップ１０Ｃの上端縁１０ｂ　と口とが当たる幅が広くなり、コップ１０Ｃの上端縁１０ｂ　と口との間にできる隙間を小さくできるから、隙間から液状物ＬＭがこぼれることを防ぐことができる。
逆に、この一対の斜辺１１ｄ，１１ｄ　を、辺１１ｆ，１１ｆ　の長さＬ１が、基材１１の高さＬＨよりも短くなるように形成すれば、距離Ｈ１は、距離Ｈ２よりも短くなる。この場合、一対の斜辺１１ｄ，１１ｄ　によってコップ１０Ｃの上端縁１０ｂ　と切欠きが形成されたことになるから、切欠きが形成された部分と対向する部分に口をつけて液状物ＬＭを飲めば、仮にコップ１０Ｃを大きく傾けても鼻は切欠きに入る。よって、コップ１０Ｃの上端縁１０ｂ　が鼻に当たることを防ぐことができるので、顎を上げなくてもコップ１０Ｃ内の液状物ＬＭを全て飲み干すことができる。
【００１８】
なお、斜辺１１ｄ　は、直線状に形成しなくてもよく、曲線状に形成してもよい。
【００１９】
また、図６に示すように、基材１１の形状を、展開した状態において左右対称の四角形とした場合、頂点１１ａ　を形成する辺１１ｆ，１１ｆ　同士を重ね合せ、糊代１１ｐ　によって基材１１を辺１１ｆ，１１ｆ　同士を重ね合わせた状態で固定すれば、頂点１１ａ　を頂点１０ａ　とし、一対の辺１１ｂ，１１ｂ　を上端縁１０ｂ　とするコップ１０Ｄを形成することができる。
しかも、コップ１０Ｄの上端縁１０ｂ　において、基材１１において頂点１１ｄ　であった部分Ｂと頂点１０ａ　との間の距離Ｈ１が、辺１１ｆ，１１ｆ　同士を重ね合せた部分Ｃ、つまり辺１１ｂ　の両端１１ｃ，１１ｃ　であった部分と頂点１０ａ　との間の距離Ｈ２よりも長くなる。したがって、頂点１１ｄ　であった部分Ｂに口をつけて液状物ＬＭを飲めば、コップ１０Ｄを大きく傾けても、コップ１０Ｄの上端縁１０ｂ　が鼻に当たることを防ぐことができるので、顎を上げなくてもコップ１０Ｄ内の液状物ＬＭを全て飲み干すことができる。
【００２０】
そして、図７に示すように、基材１１として、前記頂点１１ｄ　が、その頂点１１ｄ　を形成する辺同士、つまり一対の辺１１ｂ，１１ｂ　を結ぶ斜辺１１ｋ　が形成されるように切り取られた形状のものを使用し、辺１１ｆ，１１ｆ　同士が重なり合うように丸めてコップ１０Ｅを形成すれば、コップ１０Ｅの上端縁１０ｂ　において、辺１１ｂ　と辺１１ｂ　の間に辺１０ｄ　が形成される（図７（ｃ））。すると、辺１０ｄ　に口をあてて液状物ＬＭを飲めば、コップ１０Ｅの上端縁１０ｂ　と口とが当たる幅が広くなり、コップ１０Ｅの上端縁１０ｂ　と口との間にできる隙間を小さくできるから、隙間から液状物ＬＭがこぼれることを防ぐことができる。
なお、斜辺１１ｋ　は、直線状に形成しなくてもよく、曲線状に形成してもよい。
【００２１】
なお、基材１１の形状は、上述したような二等辺三角形や、左右対称な四角形に限られず、五角形や六角形などの多角形であってもよい。この場合、基材１１を、その一の頂点を形成する２辺が重なり合うように丸めれば、その２辺によって形成される頂点を下端とする略円錐状のコップ１０を形成することができる。しかも、コップ１０を、その上端縁と下端との間の距離が、上端縁の場所によって異なるように形成することができるから、コップ１０の上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。
とくに、基材１１が、一の頂点を形成する２つの辺の間に形成される角の二等分線に対して対称な多角形とし、その一の頂点を形成する２辺が重なり合うように丸めれば、コップ１０の上端縁において、上端縁と下端との間の距離が最も長い部分が、上端縁と下端との間の距離が最も短い部分と対向する位置に配置される。よって、コップ１０の上端縁において、その下端との間の距離が最も長い部分に口をつけて液状物ＬＭを飲めば、コップ１０を大きく傾けても、コップ１０の上端縁が鼻に当たることをより確実に防ぐことができるので、顎を上げなくてもコップ１０内の液状物ＬＭを全て飲み干すことができる。
【００２２】
つぎに、第２実施形態のコップを説明する。
図８は第２実施形態のコップ２０Ａ　の概略説明図である。図９は第２実施形態のコップ２０Ａ　を用いて液状物ＬＭを飲んでいる状況の概略説明図である。図８に示すように、第１実施形態のコップ１０Ａが略円錐状に形成されたものであるのに対し、第２実施形態のコップ２０Ａ　は後述する基材２１を折り曲げて形成したこと、および上端の開口部を広げると略円錐状となるように形成されていることが特徴である。
【００２３】
図８に示すように、第２実施形態のコップ２０Ａ　は、基材２１を下端に頂点２０ａ　を有し、上端に開口部２０ｈ　を有するように折り曲げて形成されたものであり、開口部２０ｈ　を広げると、略円錐状となるように形成されている。
そして、第２実施形態のコップ２０Ａ　は開口部２０ｈ　を広げると略円錐状となるように形成されているから、通常のコップであればその中心線と側辺２０ｃ　とのなす角が、せいぜい６〜８度であるのに対し、側辺２０ｃ　と開口部２０ｈ　に向かって垂直に下ろした垂線２０ｓ　とのなす角（以下、傾斜角Ａという）を８度以上、より詳しく言えば８〜５６度とすることができる。つまり、第２実施形態のコップ２０Ａ　は、通常のコップに比べて、コップの中心線に対する側辺２０ｃ　の傾きを大きくすることができる。
【００２４】
そして、第２実施形態のコップ２０Ａ　は、その傾斜角Ａが８〜５６度となるように形成している。
もし、傾斜角Ａが５６度より大きくなれば、容器の形状が皿に近い形状となり、液状物ＬＭが飲みにくくなるし、逆に傾斜角Ａが８度よりも小さくなると、従来のコップと同じような傾斜角となり、顎をあげなければ液状物ＬＭを飲むことができない。
【００２５】
上記のごとく、第２実施形態のコップ２０Ａ　は、開口部２０ｈ　を広げると略円錐状となり、しかも、傾斜角Ａが８〜５６度がとなるように形成された容器であり、コップとしての機能を確保したままで、従来から使用されているコップに比べて、容器の中心線に対する側面の傾きを大きくしたものである。このため、コップ２０Ａ　内の液状物ＬＭの量が少なくなったときに、従来のコップよりも少ない傾きで、あるいは傾けなくてもコップ２０Ａ　内の液状物ＬＭを確実に口に流し込むことができるから、少量の液状物ＬＭを飲むときでも、顎をあげる必要がなかったり、また顎をあげる量を少なくすることができ、誤嚥を防ぐことができる。
【００２６】
ところで、開口部２０ｈ　の直径を確実に７．５ｃｍ以上とすれば、コップ２０Ａ　を大きく傾けても、開口部２０ｈ　内に鼻を確実に収容することができる（図９）。つまり、コップ２０Ａ　を大きく傾けても、その上端縁２０ｂ　が簡単に鼻に当たらないので、顎をあげる量が少なくても、コップ２０Ａ　内の液状物ＬＭを確実に全部口に流し込むことができる。
コップ２０Ａ　の内容積Ｖと、開口部２０ｈ　の半径ｒとの関係は、コップ２０Ａ　の傾斜角Ａとコップ２０Ａ　の深さｈを用いて、以下の式で表される。
Ｖ＝（ｈ・π・ｒ２　）／３
ｒ＝ｈ・ｔａｎＡ
（ただし、Ａの単位はラジアン）
このため、コップ２０Ａ　の傾斜角Ａに応じて、コップ２０Ａ　の深さｈを変化させれば、コップ２０Ａ　の開口部２０ｈ　の直径を７．５ｃｍに保ったままで、所望の内容積Ｖのコップ２０Ａ　を形成することができる。
とくに、コップ２０Ａ　の傾斜角Ａを１１度以上２０度以下とすれば、コップ２０Ａ　の開口部２０ｈ　の直径を７．５ｃｍに保ったままで、コップ２０Ａ　の内容積Ｖが１５０〜３００ｍｌ、つまり液状物を一杯、特に胃Ｘ線検査時に硫酸バリウム造影剤を一杯飲むのに最適な内容量で、持ちやすいコップ２０Ａ　とすることができる。
【００２７】
なお、コップ２０Ａ　の開口部２０ｈ　の直径は７．５ｃｍ以上でもよく、コップ２０Ａ　を大きく傾けても、開口部２０ｈ　内に鼻を確実に収容することができる大きさであれば、とくに限定されない。
【００２８】
そして、図１０に示すように、コップ２０Ａ　の上端縁２０ｂ　に切欠き２０ｇ　を形成すれば、開口部２０ｈ　の直径が７．５ｃｍ以下であったとしても、コップ２０Ａ　の上端縁２０ｂ　において、切欠き２０ｇ　が形成された部分と対向する部分に口をつけて液状物ＬＭを飲めば、コップ２０Ａ　を大きく傾けたときに、鼻を切欠き２０ｇ　に入れることができる。このため、コップ２０Ａ　を大きく傾けても、コップ２０Ａ　の上端縁２０ｂ　が鼻に当たることを防ぐことができるので、顎を上げなくてもコップ２０Ａ　内の液状物ＬＭを全て飲み干すことができる。
【００２９】
第２実施形態のコップ２０Ａ　は、基材２１を折り曲げて形成されているので、コップ２０Ａ　を簡単に製造することができる。そして、コップ２０Ａ　の製造に使用される原材料を少なくすることができるし、廃棄物を減量化することもできる。そして、基材２１として、紙や、ポリエチレン、ポリプロピレン等、プラスチックを原材料とする単層または多層の薄いシート等、折り畳むことができる素材を使用しているので、廃棄物の容積を簡単に小さくすることができるし、焼却処理が可能であるから、廃棄物の処理が非常に容易になる。しかも、焼却処理しても有害物質が排出されないので、環境に悪影響を与えることを防ぐことができる。
【００３０】
また、基材２１の形状を変えれば、簡単にコップ２０Ａ　の形状を変えることができる。
【００３１】
また、図１１に示すように、基材２１の形状を、展開した状態において左右対称の四角形とした場合、頂点２１ａ　を形成する辺２１ｆ，２１ｆ　同士を重ね合せ、糊代２１ｐ　によって基材２１を辺２１ｆ，２１ｆ　同士を重ね合わせた状態で固定すれば、頂点２１ａ　を頂点２０ａ　とし、一対の辺２１ｂ，２１ｂ　を上端縁２０ｂ　とするコップ２０Ｂ　を形成することができる。
しかも、コップ２０Ｂ　の上端縁２０ｂ　において、基材２１において頂点２１ｄ　であった部分Ｂと頂点２０ａ　との間の距離Ｈ１が、辺２１ｆ，２１ｆ　同士を重ね合せた部分Ｃ、つまり辺２１ｂ　の両端２１ｃ，２１ｃ　であった部分と頂点２０ａ　との間の距離Ｈ２よりも長くなる。したがって、頂点２１ｄ　であった部分Ｂに口をつけて液状物ＬＭを飲めば、コップ２０Ｂ　を大きく傾けても、コップ２０Ｂ　の上端縁２０ｂ　が鼻に当たることを防ぐことができるので、顎を上げなくてもコップ２０Ｂ　内の液状物ＬＭを全て飲み干すことができる。
【００３２】
そして、図１２に示すように、基材２１として、前記頂点２１ｄ　が、その頂点２１ｄ　を形成する辺同士、つまり一対の辺２１ｂ，２１ｂ　を結ぶ斜辺２１ｋ　が形成されるように切り取られた形状のものを使用し、辺２１ｆ，２１ｆ　同士が重なり合うように折り曲げてコップ２０Ｃを形成すれば、コップ２０Ｃの上端縁２０ｂ　において、辺２１ｂ　と辺２１ｂ　の間に辺２０ｄ　が形成される（図７（ｃ））。すると、辺２０ｄ　に口をあてて液状物ＬＭを飲めば、コップ２０Ｃの上端縁２０ｂ　と口とが当たる幅が広くなり、コップ２０Ｃの上端縁２０ｂ　と口との間にできる隙間を小さくできるから、隙間から液状物ＬＭがこぼれることを防ぐことができる。
なお、斜辺２１ｋ　は、直線状に形成しなくてもよく、曲線状に形成してもよい。
【００３３】
なお、基材２１の形状は、上述したような左右対称な四角形に限られず、五角形や六角形等であってもよく、左右対称な多角形であればよい。この場合、基材２１を、その一の頂点を形成する２辺が重なり合うように折り曲げれば、その２辺によって形成される頂点を下端とする略円錐状のコップ２０を形成することができる。このとき、コップ２０の上端縁に、複数の頂点のうちいずれか一の頂点が配置されるように折り曲げれば、コップ２０を、その上端縁と下端との間の距離が、上端縁の場所によって異なるように形成することができるから、コップ２０の上端縁において、その下端との間の距離が最も長い部分に口をつけて液状物ＬＭを飲めば、コップ２０を大きく傾けても、コップ２０の上端縁が鼻に当たることを防ぐことができるので、顎を上げなくてもコップ２０内の液状物ＬＭを全て飲み干すことができる。
【００３４】
また、図１３に示すように、コップ２０Ｄは、前記頂点２０ａ　が、下端に底辺２０ｅ　が形成されるように切り取られた形状であってもよい。この場合、コップ２０Ｄの底に液状物ＬＭが残ることを防ぐことができるので、コップ２０Ｄ内の液状物ＬＭを確実に全部飲み干すことができる。
【００３５】
【実施例】
つぎに、本発明のコップを用いて、人が液状物を飲んだときの状況を調べた例を示す。
本発明のコップには、傾斜角Ａ１０．５度、深さ２０．４ｃｍで３００　ｍｌのもの（実施例１）と、傾斜角Ａ１２．５度、深さ１７ｃｍで２５０　ｍｌのもの（実施例２）、傾斜角Ａ１６度、深さ１３．６ｃｍで２００　ｍｌのもの（実施例３）を使用した。
これらのコップを用いて、ボランティア１０人に液状物を飲んでもらったところ、いずれの実施例でも、首をあげることなく液状物を全て飲み干すことが可能であった。そして、コップを傾ける角度は、コップの中心軸が水平になった状態から、最大でも上方に５度程度であり、コップの上端縁が人の鼻には当たることがなかった。
また、コップを大きく傾けたときにおいて、コップの上端縁と鼻との相対的な位置を確認した。いずれの実施例も、コップを大きく傾けた場合、開口部内に鼻を収容することができることが確認された。いずれの実施例も、開口部の直径が７．５　ｃｍであり、開口部の直径が７．５　ｃｍであれば、仮にコップを大きく傾けても開口部内に確実に鼻を収容することができることが確認された。
【００３６】
【発明の効果】
請求項１の発明によれば、略円錐状に形成されているから、容器の中心線に対する側面の傾きを大きくすることができる。よって、コップ内の液状物の量が少なくなったときに、従来のコップよりも少ない傾きでコップ内の液状物を確実に口に流し込むことができるから、少量の液状物を飲むときでも、顎をあげる必要がなかったり、また顎をあげたとしてもその量を少なくすることができ、誤嚥を防ぐことができる。
請求項２の発明によれば、コップとしての機能を確保したまま、従来から使用されているコップに比べて、容器の中心線に対する母線の傾きを大きくすることができるので、容器内の液状物を確実に飲むことができる。しかも、従来のコップよりも少ない傾きでコップ内の液状物を確実に全部口に流し込むことができるから、顎をあげる必要がなかったり、また顎をあげたとしてもその量を少なくすることができ、誤嚥を防ぐことができる。
請求項３の発明によれば、コップの上端において、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項４の発明によれば、シート上の基材を略円錐状に丸めているだけであるから、簡単に製造することができる。しかも、原材料を少なくすることができるし、廃棄物を減量化することができる。
請求項５の発明によれば、基材が多角形であるから、この基材を、その一の頂点を形成する２辺が重なり合うように丸めれば、その２辺によって形成される頂点を下端とする略円錐状のコップを形成することができる。しかも、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。
請求項６の発明によれば、基材が、一の頂点を形成する２つの辺の間に形成される角の二等分線に対して対称な多角形であるから、この基材を、その一の頂点を形成する２辺が重なり合うように丸めれば、コップの上端縁において、上端縁と下端との間の距離が最も長い部分が、上端縁と下端との間の距離が最も短い部分と対向する位置に配置される。よって、コップの上端縁において、その下端との間の距離が最も長い部分に口をつけて液状物を飲めば、コップを大きく傾けても、コップの上端縁が鼻に当たることをより確実に防ぐことができるので、顎を上げなくてもコップ内の液状物を全て飲み干すことができる。
請求項７の発明によれば、同じ長さの２辺を重ね合せれば、その２辺によって形成される頂点を下端とし、他の一辺を上端縁とする略円錐状のコップを形成することができる。また、コップの上端縁において、同じ長さの２辺を重ね合せた部分の両側に一対の斜辺が配置されるが、この２辺の長さが斜辺形成前の二等辺三角形の高さよりも長くなるように一対の斜辺を形成し、一対の斜辺に口を当てて液状物を飲めば、コップの上端縁と口とが当たる幅が広くなる。すると、コップの上端縁と口との間にできる隙間を小さくできるから、隙間から液状物がこぼれることを防ぐことができる。逆に、２辺の長さが斜辺形成前の二等辺三角形の高さよりも短くなるように一対の斜辺を形成すれば、コップの上端縁に切欠きが形成されるから、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項８の発明によれば、一の頂点を形成する２辺を重ね合せれば、その２辺によって形成される頂点を下端とし、他の２辺を上端縁とする略円錐状のコップを形成することができる。しかも、コップの上端縁において、一の頂点を形成する２辺を重ね合せた部分と下端との間の距離は、他の２辺によって形成される頂点と下端との間の距離よりも短くなる。したがって、他の２辺によって形成される頂点に口をつけて液状物を飲めば、コップを大きく傾けても、コップの上端縁が鼻に当たることを防ぐことができるので、顎を上げなくてもコップ内の液状物を全て飲み干すことができる。
請求項９の発明によれば、コップの上端縁と口とが当たる幅を広くすることができる。すると、コップの上端縁と口との間にできる隙間を小さくできるから、隙間から液状物がこぼれることを防ぐことができる。
請求項１０の発明によれば、シート上の基材を折り曲げているだけであるから、簡単に製造することができる。しかも、原材料を少なくすることができるし、廃棄物を減量化することができる。
請求項１１の発明によれば、コップとしての機能を確保したまま、従来から使用されているコップに比べて、容器の中心線に対する側辺の傾きを大きくすることができるので、容器内の液状物を確実に飲むことができる。しかも、従来のコップよりも少ない傾きでコップ内の液状物を確実に全部口に流し込むことができるから、顎をあげる必要がなかったり、また顎をあげたとしてもその量を少なくすることができ、誤嚥を防ぐことができる。
請求項１２の発明によれば、コップの上端において、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項１３の発明によれば、基材が左右対称な多角形であり、その対称軸でおり曲げて重なりあった辺同士を貼り付けており、しかも、上端縁に一の頂点が配置されている。このため、コップを、その上端縁と下端との間の距離が、上端縁の場所によって異なるように形成することができる。よって、上端縁と下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。
請求項１４の発明によれば、一の頂点を形成する２辺を重ね合せれば、その２辺によって形成される頂点を下端とし、他の２辺を上端縁とするコップを形成することができる。しかも、コップの上端縁において、他の２辺によって形成される頂点と下端との間の距離が、２辺を重ね合せた部分と下端との間の距離よりも長くなる。したがって、他の２辺によって形成される頂点に口をつけて液状物を飲めば、コップを大きく傾けても、コップの上端縁が鼻に当たることを防ぐことができるので、顎を上げなくてもコップ内の液状物を全て飲み干すことができる。
請求項１５の発明によれば、コップの上端縁と口とが当たる幅を広くすることができる。すると、コップの上端縁と口との間にできる隙間を小さくできるから、隙間から液状物がこぼれることを防ぐことができる。
請求項１６の発明によれば、コップの底に液状物が残ることを防ぐことができるので、コップ内の液状物を確実に全部飲み干すことができる。
請求項１７の発明によれば、廃棄処理が容易であるし、製造コストも安くすることができる。
【図面の簡単な説明】
【図１】第１実施形態のコップ１０Ａの概略説明図であって、（Ａ）は斜視図であり、（Ｂ）は側面図である。
【図２】第１実施形態のコップ１０Ａを用いて液状物ＬＭを飲んでいる状況の概略説明図である。
【図３】切欠き１０ｇ　が形成されたコップ１０Ａの概略説明図であって、（Ａ）は斜視図であり、（Ｂ）は液状物ＬＭを飲んでいる状況の概略説明図である。
【図４】他の実施形態のコップ１０Ｂの概略説明図であって、（Ａ）は基材１１の平面図であり、（Ｂ）は側面図であり、（Ｃ）は正面図である。
【図５】他の実施形態のコップ１０Ｃの概略説明図であって、（Ａ）は基材１１の平面図であり、（Ｂ）は側面図であり、（Ｃ）は正面図である。
【図６】他の実施形態のコップ１０Ｄの概略説明図であって、（Ａ）は基材１１の平面図であり、（Ｂ）は側面図であり、（Ｃ）は正面図である。
【図７】他の実施形態のコップ１０Ｅの概略説明図であって、（Ａ）は基材１１の平面図であり、（Ｂ）は側面図であり、（Ｃ）は正面図である。
【図８】第２実施形態のコップ２０Ａ　の概略説明図であって、（Ａ）は斜視図であり、（Ｂ）は側面図である。
【図９】第２実施形態のコップ２０Ａ　を用いて液状物ＬＭを飲んでいる状況の概略説明図である。
【図１０】切欠き２０ｇ　が形成されたコップ２０Ａ　の概略説明図であって、（Ａ）は斜視図であり、（Ｂ）は液状物ＬＭを飲んでいる状況の概略説明図である。
【図１１】他の実施形態のコップ２０Ｂ　の概略説明図であって、（Ａ）は基材１１の平面図であり、（Ｂ）は側面図であり、（Ｃ）は正面図である。
【図１２】他の実施形態のコップ２０Ｃの概略説明図であって、（Ａ）は基材１１の平面図であり、（Ｂ）は側面図であり、（Ｃ）は正面図である。
【図１３】他の実施形態のコップ２０Ｄの概略側面図ある。
【符号の説明】
１０　　コップ
１１　　基材
１０ｇ　　切欠き
２０　　コップ
２１　　基材
２０ｇ　　切欠き
【図１】
2004091035.tif 000003
【図２】
2004091035.tif 000004
【図３】
2004091035.tif 000005
【図４】
2004091035.tif 000006
【図５】
2004091035.tif 000007
【図６】
2004091035.tif 000008
【図７】
2004091035.tif 000009
【図８】
2004091035.tif 000010
【図９】
2004091035.tif 000011
【図１０】
2004091035.tif 000012
【図１１】
2004091035.tif 000013
【図１２】
2004091035.tif 000014
【図１３】
2004091035.tif 000015
【手続補正書】
【提出日】平成15年3月24日(2003.3.24)
【手続補正１】
【補正対象書類名】明細書
【補正対象項目名】全文
【補正方法】変更
【補正の内容】
【発明の詳細な説明】
【特許請求の範囲】
【請求項１】下端に頂点を有し、上端に開口部が形成された、中空な略円錐状の容器であって、
側面視で、前記頂点を挟む角の角度が、１６〜１１２　度である
ことを特徴とするコップ。
【請求項２】前記容器が、展開した状態において略二等辺三角形状のシート状の基材を、その頂角を形成する辺同士が重なり合うように略円錐状に丸めて形成されており、前記基材が、底辺と他の２辺によって形成される２つの頂点が、底辺と他の２辺を結ぶ一対の斜辺が形成されるように切り取られた形状を有している
ことを特徴とする請求項１記載のコップ。
【請求項３】前記容器が、展開した状態において一の頂点を形成する２つの辺の間に形成される角の二等分線に対して対称な略四角形状のシート状の基材を、該一の頂点を形成する辺同士が重なり合うように、略円錐状に丸めて形成されており、
前記基材が、前記一の頂点と対向する対向頂点が、該対向頂点を形成する辺同士を結ぶ斜辺が形成されるように切り取られた形状を有している
ことを特徴とする請求項１記載のコップ。
【請求項４】上端に開口部が形成された容器であって、
該容器が、
シート状の基材を折り曲げて形成されており、
側面視で、側辺が中心線に対してなす角の角度が、８〜５６度である
ことを特徴とするコップ。
【請求項５】前記基材が、展開した状態において左右対称な略四角形状に形成されており、前記容器が、
前記基材を、その対称軸で折り曲げて、一の頂点を形成する辺同士を貼り合わせて形成されており、
前記基材が、前記一の頂点の対角線に位置する対向頂点が、該対向頂点を形成する辺同士を結ぶ斜辺が形成されるように切り取られた形状を有している
ことを特徴とする請求項４記載のコップ。
【発明の詳細な説明】
【０００１】
【発明の属する技術分野】
本発明は、コップに関する。さらに詳しくは、例えば水や牛乳、清涼飲料等の液状の食品や、例えばバリウム製剤等の液状の医薬品（以下、液状の食品と液状の医薬品とを合わせて液状物という）を飲む際に、顎をあげて上を向かなくても、容器内の全ての液状の医薬品や食品を飲み干すことができるコップに関する。
【０００２】
【従来の技術】
通常のコップ、例えば市販の紙コップ等は、側面視で、上辺が長い台形状をしたものが一般的である。このようなコップを用いて、例えば水や牛乳、清涼飲料等の液状の食品や、例えばバリウム製剤等の液状の医薬品（以下、液状の食品と液状の医薬品とを合わせて液状物という）を飲む場合、コップの底部を持ち上げて傾ければ、コップ内の液状物を口に流し込むことができる。
【０００３】
【発明が解決しようとする課題】
しかるに、コップ内の液状物の量が少なくなると、コップの傾きを大きくしなければコップ内の液状物を口に流し込むことができない。しかし、コップの傾きを大きくするとコップの上端縁が鼻にあたってしまいそれ以上はコップを傾けられないので、顎を上げてコップの傾きを大きくして残っている液状物を飲まなければならない。しかし、顎を上げた場合には気道が確保される体勢となるため、健常者であれば誤嚥を起こすことなく無事に液状物を飲むことができても、嚥下機能に障害を持つ人の場合、気道への誤嚥を誘発してしまう可能性がある。
【０００４】
本発明はかかる事情に鑑み、顎をあげることなく液状物を飲むことができ、製造が簡単であり、廃棄物を減量化することができるコップを提供することを目的とする。
【０００５】
【課題を解決するための手段】
請求項１のコップは、下端に頂点を有し、上端に開口部が形成された、中空な略円錐状の容器であって、側面視で、前記頂点を挟む角の角度が、１６〜１１２　度であることを特徴とする。
請求項２のコップは、請求項１記載の発明において、前記容器が、展開した状態において略二等辺三角形状のシート状の基材を、その頂角を形成する辺同士が重なり合うように略円錐状に丸めて形成されており、前記基材が、底辺と他の２辺によって形成される２つの頂点が、底辺と他の２辺を結ぶ一対の斜辺が形成されるように切り取られた形状を有していることを特徴とする。
請求項３のコップは、請求項１記載の発明において、前記容器が、展開した状態において一の頂点を形成する２つの辺の間に形成される角の二等分線に対して対称な略四角形状のシート状の基材を、該一の頂点を形成する辺同士が重なり合うように、略円錐状に丸めて形成されており、前記基材が、前記一の頂点と対向する対向頂点が、該対向頂点を形成する辺同士を結ぶ斜辺が形成されるように切り取られた形状を有していることを特徴とする。
請求項４のコップは、上端に開口部が形成された容器であって、該容器が、シート状の基材を折り曲げて形成されており、側面視で、側辺が中心線に対してなす角の角度が、８〜５６度であることを特徴とする。
請求項５のコップは、請求項４記載の発明において、前記基材が、展開した状態において左右対称な略四角形状に形成されており、前記容器が、前記基材を、その対称軸で折り曲げて、一の頂点を形成する辺同士を貼り合わせて形成されており、前記基材が、前記一の頂点の対角線に位置する対向頂点が、該対向頂点を形成する辺同士を結ぶ斜辺が形成されるように切り取られた形状を有していることを特徴とする。
【０００６】
請求項１の発明によれば、容器が略円錐状に形成されており、しかも、従来から使用されているコップに比べて、容器の中心線に対する側面の傾きを大きくすることができる。よって、コップ内の液状物の量が少なくなったときに、従来のコップよりも少ない傾きでコップ内の液状物を確実に口に流し込むことができるから、少量の液状物を飲むときでも、顎をあげる必要がなかったり、また顎をあげたとしてもその量を少なくすることができ、誤嚥を防ぐことができる。
請求項２の発明によれば、シート状の基材を略円錐状に丸めているだけであるから、簡単に製造することができ、しかも、原材料を少なくすることができるし、廃棄物を減量化することができる。また、基材が二等辺三角形であるから、この基材を、同じ長さの２辺が重なり合うように丸めれば、その２辺によって形成される頂点を下端とし、他の一辺を上端縁とする略円錐状のコップを形成することができる。すると、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。さらに、コップの上端縁において、同じ長さの２辺を重ね合せた部分の両側に一対の斜辺が配置されるが、この２辺の長さが斜辺形成前の二等辺三角形の高さよりも長くなるように一対の斜辺を形成し、一対の斜辺に口を当てて液状物を飲めば、コップの上端縁と口とが当たる幅が広くなる。すると、コップの上端縁と口との間にできる隙間を小さくできるから、隙間から液状物がこぼれることを防ぐことができる。逆に、２辺の長さが斜辺形成前の二等辺三角形の高さよりも短くなるように一対の斜辺を形成すれば、コップの上端縁に切欠きが形成されるから、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項３の発明によれば、シート状の基材を略円錐状に丸めているだけであるから、簡単に製造することができ、しかも、原材料を少なくすることができるし、廃棄物を減量化することができる。また、一の頂点を形成する２つの辺の間に形成される角の二等分線に対して対称な四角形であるから、その一の頂点を形成する２辺を重ね合せれば、その２辺によって形成される頂点を下端とし、他の２辺を上端縁とする略円錐状のコップを形成することができる。すると、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。しかも、対向頂点を切り取るように他の２辺を結ぶ斜辺が形成されているから、その斜辺に口をあてて液状物を飲めば、コップの上端縁と口とが当たる幅を広くすることができる。すると、コップの上端縁と口との間にできる隙間を小さくできるから、隙間から液状物がこぼれることを防ぐことができる。
請求項４の発明によれば、コップとしての機能を確保したまま、従来から使用されているコップに比べて、容器の中心線に対する側辺の傾きを大きくすることができるので、容器内の液状物を確実に飲むことができる。しかも、従来のコップよりも少ない傾きでコップ内の液状物を確実に全部口に流し込むことができるから、顎をあげる必要がなかったり、また顎をあげたとしてもその量を少なくすることができ、誤嚥を防ぐことができる。しかも、シート上の基材を折り曲げているだけであるから、簡単に製造することができ、原材料を少なくすることができるし、廃棄物を減量化することができる。
請求項５の発明によれば、基材が一の頂点を形成する２つの辺の間に形成される角の二等分線に対して対称な四角形であり、その対称軸でおり曲げて一の頂点を形成する辺同士を貼り合わせているから、その２辺によって形成される頂点を下端とし、他の２辺を上端縁とするコップを形成することができる。すると、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。しかも、対向頂点を切り取るように他の２辺を結ぶ斜辺が形成されているから、その斜辺に口をあてて液状物を飲めば、コップの上端縁と口とが当たる幅を広くすることができる。すると、コップの上端縁と口との間にできる隙間を小さくできるから、隙間から液状物がこぼれることを防ぐことができる。
【０００７】
【発明の実施の形態】
つぎに、本発明の実施形態を図面に基づき説明する。
まず、第１実施形態のコップ１０Ａを説明する。
図１は第１実施形態のコップ１０Ａの概略説明図であって、（Ａ）は斜視図であり、（Ｂ）は側面図である。図２は第１実施形態のコップ１０Ａを用いて液状物ＬＭを飲んでいる状況の概略説明図である。
【０００８】
図１に示すように、第１実施形態のコップ１０Ａは、略円錐状に形成されたものであり、その下端に頂点１０ａ　が形成され、上端に開口部１０ｈ　が形成されたものである。
そして、第１実施形態のコップ１０Ａは略円錐状であるから、通常のコップであればその中心線と側面とのなす角が、せいぜい６〜８度であるのに対し、母線１０ｃ　と開口部１０ｈ　に向かって垂直に下ろした垂線１０ｓ　とのなす角（以下、傾斜角Ａという）を８度以上、より詳しく言えば８〜５６度（側面視で頂点１０ａ　を挟む角の角度が１６〜１１２　度）とすることができる。つまり、第１実施形態のコップ１０Ａは、通常のコップに比べて、コップの中心線に対する母線１０ｃ　の傾きを大きくすることができる。
【０００９】
もし、傾斜角Ａが５６度より大きくなれば、容器の形状が皿に近い形状となり、液状物ＬＭが飲みにくくなるし、逆に傾斜角Ａが８度よりも小さくなると、従来のコップと同じような傾斜角となり、顎をあげなければ液状物ＬＭを飲むことができない。
【００１０】
上記のごとく、第１実施形態のコップ１０Ａは、傾斜角Ａが８〜５６度がとなるように形成された略円錐状の容器であり、コップとしての機能を確保したままで、従来から使用されているコップに比べて、コップ１０Ａの中心線に対する母線１０ｃ　の傾きを大きくしたものである。このため、コップ１０Ａ内の液状物ＬＭの量が少なくなったときに、従来のコップよりも少ない傾きで、あるいは傾けなくてもコップ１０Ａ内の液状物ＬＭを確実に口に流し込むことができるから、少量の液状物ＬＭを飲むときでも、顎をあげる必要がなかったり、また顎をあげる量を少なくすることができ、誤嚥を防ぐことができる。
【００１１】
ところで、開口部１０ｈ　の直径を確実に７．５ｃｍ以上とすれば、コップ１０Ａを大きく傾けても、開口部１０ｈ　内に鼻を確実に収容することができる（図２）。つまり、コップ１０Ａを大きく傾けても、その上端縁１０ｂ　が簡単に鼻に当たらないので、顎をあげる量が少なくても、コップ１０Ａ内の液状物ＬＭを確実に全部口に流し込むことができる。
コップ１０Ａの内容積Ｖと、開口部１０ｈ　の半径ｒとの関係は、コップ１０Ａの傾斜角Ａとコップ１０Ａの深さｈを用いて、以下の式で表される。
Ｖ＝（ｈ・π・ｒ２　）／３
ｒ＝ｈ・ｔａｎＡ
（ただし、Ａの単位はラジアン）
このため、コップ１０Ａの傾斜角Ａに応じて、コップ１０Ａの深さｈを変化させれば、コップ１０Ａの開口部１０ｈ　の直径を７．５ｃｍに保ったままで、所望の内容積Ｖのコップ１０Ａを形成することができる。
とくに、コップ１０Ａの傾斜角Ａを１１度以上２０度以下とすれば、コップ１０Ａの開口部１０ｈ　の直径を７．５ｃｍに保ったままで、コップ１０Ａの内容積Ｖが１５０　〜３００　ｍｌ、つまり液状物を一杯、特に胃Ｘ線検査時に硫酸バリウム造影剤を一杯飲むのに最適な内容量で、持ちやすいコップ１０Ａとすることができる。
【００１２】
なお、コップ１０Ａの開口部１０ｈ　の直径は７．５ｃｍ以上でもよく、コップ１０Ａを大きく傾けても、開口部１０ｈ　内に鼻を確実に収容することができる大きさであれば、とくに限定されない。
【００１３】
さらになお、図３に示すように、コップ１０Ａの上端縁１０ｂ　に切欠き１０ｇ　を形成すれば、開口部１０ｈ　の直径が７．５ｃｍ以下であったとしても、コップ１０Ａの上端縁１０ｂ　において、切欠き１０ｇ　が形成された部分と対向する部分に口をつけて液状物ＬＭを飲めば、コップ１０Ａを大きく傾けたときに、鼻を切欠き１０ｇ　に入れることができる。このため、コップ１０Ａを大きく傾けても、コップ１０Ａの上端縁１０ｂ　が鼻に当たることを防ぐことができるので、顎を上げなくてもコップ１０Ａ内の液状物ＬＭを全て飲み干すことができる。
【００１４】
第１実施形態のコップ１０Ａは、射出成形等、様々な方法で成形することができるが、シート状の基材１１を丸めて形成すれば、コップ１０Ａを簡単に製造することができるので、とくに好適である。この場合、コップ１０Ａの製造に使用される原材料を少なくすることができるし、廃棄物を減量化することもできる。そして、基材１１の素材として、紙やポリエチレン、ポリスチレン、ポリ塩化ビニリデン等を使用すれば、廃棄処理が容易であるし、製造コストも安くすることができる。とくに、紙の場合には、折り畳みが容易であるから、廃棄物の容積を小さくすることができるし、焼却処理が可能であるから、廃棄物の処理が非常に容易になる。しかも、焼却処理しても有害物質が排出されないので、環境に悪影響を与えることを防ぐことができる。
なお、コップ１０Ａの素材が紙の場合、コップ１０Ａの内面に、疎水性、撥水性のコーティングをしておけば、コップ１０Ａに液状物ＬＭを収容したまま放置しても、紙に液状物ＬＭがしみ込んでコップ１０Ａの強度が低下して形が崩れたり、漏れが発生することを防ぐことができる。
【００１５】
図５に示すように、前記シート状の基材１１として、略二等辺三角形状のもの、具体的には、二等辺三角形の頂角を形成する辺１１ｆ　，１１ｆ　と、底辺１１ｂ　との間に形成される二つの頂点１１ｃ　，１１ｃ　が切り取られ、辺１１ｆ　，１１ｆ　と底辺１１ｂ　との間を結ぶ一対の斜辺１１ｄ　，１１ｄ　が形成されたものを使用することができる。
以下に、この略二等辺三角形状の基材１１によって形成された第１実施形態のコップ１０Ｃを説明するが、コップ１０Ｃの効果を理解しやすくするために、単純な二等辺三角形状の基材１１を丸めて形成されたコップ１０Ｂをまず説明する。
【００１６】
図４に示すように、基材１１の形状を、展開した状態において二等辺三角形とした場合、頂点１１ａ　を形成する辺１１ｆ，１１ｆ　同士を重ね合せ、糊代１１ｐ　によって基材１１を辺１１ｆ，１１ｆ　同士を重ねた状態で固定すれば、頂点１１ａ　を頂点１０ａ　とし、辺１１ｂ　を上端縁１０ｂ　とする略円錐状のコップ１０Ｂを形成することができる。そして、このコップ１０Ｂは、その上端縁１０ｂ　において、辺１１ｆ，１１ｆ　同士を重ね合せた部分Ｂ、つまり辺１１ｂ　の両端１１ｃ，１１ｃ　であった部分と頂点１０ａ　との間の距離Ｈ１が、辺１１ｂ　の中間部であった部分と頂点１０ａ　との間の距離Ｈ２よりも長くなるのである。
【００１７】
さて、第１実施形態のコップ１０Ｃを説明する。
図５に示すように、第１実施形態のコップ１０Ｃは、前述したように、基材１１として、前記頂点１１ｃ　，１１ｃ　が、辺１１ｂ　と辺１１ｆ　とを結ぶ一対の斜辺１１ｄ，１１ｄ　が形成されるように切り取られた形状のものを使用しているから、コップ１０Ｃの上端縁１０ｂ　において、辺１１ｆ，１１ｆ　同士を重ね合せた部分の両側に一対の斜辺１１ｄ，１１ｄ　が配置され、辺１０ｄ　が形成された形状となる（図５（ｃ））。
このため、この一対の斜辺１１ｄ，１１ｄ　を、辺１１ｆ，１１ｆ　の長さＬ１が、基材１１の頂点１０ａ　から辺１１ｂ　への垂線の長さ、つまり基材１１の高さＬＨよりも長くなるように形成すれば、距離Ｈ１は、距離Ｈ２よりも長くなる。すると、一対の斜辺１１ｄ，１１ｄ　に口を当てて液状物ＬＭを飲めば、コップ１０Ｃの上端縁１０ｂ　と口とが当たる幅が広くなり、コップ１０Ｃの上端縁１０ｂ　と口との間にできる隙間を小さくできるから、隙間から液状物ＬＭがこぼれることを防ぐことができる。
逆に、この一対の斜辺１１ｄ，１１ｄ　を、辺１１ｆ，１１ｆ　の長さＬ１が、基材１１の高さＬＨよりも短くなるように形成すれば、距離Ｈ１は、距離Ｈ２よりも短くなる。この場合、一対の斜辺１１ｄ，１１ｄ　によってコップ１０Ｃの上端縁１０ｂ　に切欠きが形成されたことになるから、切欠きが形成された部分と対向する部分に口をつけて液状物ＬＭを飲めば、仮にコップ１０Ｃを大きく傾けても鼻は切欠きに入る。よって、コップ１０Ｃの上端縁１０ｂ　が鼻に当たることを防ぐことができるので、顎を上げなくてもコップ１０Ｃ内の液状物ＬＭを全て飲み干すことができる。
【００１８】
なお、斜辺１１ｄ　は、直線状に形成しなくてもよく、曲線状に形成してもよい。
【００１９】
また、図７に示すように、前記シート状の基材１１として、略四角形状のもの、具体的には、一の頂点１１ａ　を形成する２つの辺１１ｆ　，１１ｆ　の間に形成される角の二等分線に対して左右対称であって、一の頂点１１ａ　の対角線に位置する対向頂点１１ｄ　が切り取られ、この対向頂点１１ｄ　を形成する辺１１ｂ　，１１ｂ同士を結ぶ斜辺１１ｋ　が形成されたものを使用することができる。
以下に、この略四角形状の基材１１によって形成された第１実施形態のコップ１０Ｅを説明するが、コップ１０Ｅの効果を理解しやすくするために、単純な左右対称な四角形状の基材１１を丸めて形成されたコップ１０Ｄをまず説明する。図６に示すように、基材１１の形状を、展開した状態において左右対称の四角形とした場合、頂点１１ａ　を形成する辺１１ｆ，１１ｆ　同士を重ね合せ、糊代１１ｐ　によって基材１１を辺１１ｆ，１１ｆ　同士を重ね合わせた状態で固定すれば、頂点１１ａ　を頂点１０ａ　とし、一対の辺１１ｂ，１１ｂ　を上端縁１０ｂ　とする略円錐状のコップ１０Ｄを形成することができる。そして、コップ１０Ｄは、その上端縁１０ｂ　において、基材１１において頂点１１ｄ　であった部分Ｂと頂点１０ａ　との間の距離Ｈ１が、辺１１ｆ，１１ｆ　同士を重ね合せた部分Ｃ、つまり辺１１ｂ　の両端１１ｃ，１１ｃ　であった部分と頂点１０ａ　との間の距離Ｈ２よりも長くなるのである。
【００２０】
さて、第１実施形態のコップ１０Ｅを説明する。
図７に示すように、第１実施形態のコップ１０Ｅは、前述したように、基材１１として、前記頂点１１ｄ　が、その頂点１１ｄ　を形成する辺同士、つまり一対の辺１１ｂ，１１ｂ　を結ぶ斜辺１１ｋ　が形成されるように切り取られた形状のものを使用しているから、辺１１ｆ，１１ｆ　同士が重なり合うように丸めてコップ１０Ｅを形成すれば、コップ１０Ｅの上端縁１０ｂ　において、辺１１ｂ　と辺１１ｂ　の間に辺１０ｄ　が形成される（図７（ｃ））。
このため、辺１０ｄ　に口をあてて液状物ＬＭを飲めば、コップ１０Ｅの上端縁１０ｂ　と口とが当たる幅が広くなり、コップ１０Ｅの上端縁１０ｂ　と口との間にできる隙間を小さくできるから、隙間から液状物ＬＭがこぼれることを防ぐことができる。
なお、斜辺１１ｋ　は、直線状に形成しなくてもよく、曲線状に形成してもよい。
【００２１】
なお、基材１１の形状は、上述したような二等辺三角形や、左右対称な四角形に限られず、五角形や六角形などの多角形であってもよい。この場合、基材１１を、その一の頂点を形成する２辺が重なり合うように丸めれば、その２辺によって形成される頂点を下端とする略円錐状のコップ１０を形成することができる。しかも、コップ１０を、その上端縁と下端との間の距離が、上端縁の場所によって異なるように形成することができるから、コップ１０の上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。
とくに、基材１１が、一の頂点を形成する２つの辺の間に形成される角の二等分線に対して対称な多角形とし、その一の頂点を形成する２辺が重なり合うように丸めれば、コップ１０の上端縁において、上端縁と下端との間の距離が最も長い部分が、上端縁と下端との間の距離が最も短い部分と対向する位置に配置される。よって、コップ１０の上端縁において、その下端との間の距離が最も長い部分に口をつけて液状物ＬＭを飲めば、コップ１０を大きく傾けても、コップ１０の上端縁が鼻に当たることをより確実に防ぐことができるので、顎を上げなくてもコップ１０内の液状物ＬＭを全て飲み干すことができる。
【００２２】
つぎに、第２実施形態のコップを説明する。
図８は第２実施形態のコップ２０Ａ　の概略説明図である。図９は第２実施形態のコップ２０Ａ　を用いて液状物ＬＭを飲んでいる状況の概略説明図である。図８に示すように、第１実施形態のコップ１０Ａが略円錐状に形成されたものであるのに対し、第２実施形態のコップ２０Ａ　は後述する基材２１を折り曲げて形成したこと、および上端の開口部を広げると略円錐状となるように形成されていることが特徴である。
【００２３】
図８に示すように、第２実施形態のコップ２０Ａ　は、基材２１を下端に頂点２０ａ　を有し、上端に開口部２０ｈ　を有するように折り曲げて形成されたものであり、開口部２０ｈ　を広げると、略円錐状となるように形成されている。
そして、第２実施形態のコップ２０Ａ　は開口部２０ｈ　を広げると略円錐状となるように形成されているから、通常のコップであればその中心線と側辺２０ｃ　とのなす角が、せいぜい６〜８度であるのに対し、側辺２０ｃ　と開口部２０ｈ　に向かって垂直に下ろした垂線２０ｓ　とのなす角（以下、傾斜角Ａという）を８度以上、より詳しく言えば８〜５６度とすることができる。つまり、第２実施形態のコップ２０Ａ　は、通常のコップに比べて、コップの中心線に対する側辺２０ｃ　の傾きを大きくすることができる。
【００２４】
そして、第２実施形態のコップ２０Ａ　は、その傾斜角Ａが８〜５６度となるように形成している。
もし、傾斜角Ａが５６度より大きくなれば、容器の形状が皿に近い形状となり、液状物ＬＭが飲みにくくなるし、逆に傾斜角Ａが８度よりも小さくなると、従来のコップと同じような傾斜角となり、顎をあげなければ液状物ＬＭを飲むことができない。
【００２５】
上記のごとく、第２実施形態のコップ２０Ａ　は、開口部２０ｈ　を広げると略円錐状となり、しかも、傾斜角Ａが８〜５６度がとなるように形成された容器であり、コップとしての機能を確保したままで、従来から使用されているコップに比べて、容器の中心線に対する側面の傾きを大きくしたものである。このため、コップ２０Ａ　内の液状物ＬＭの量が少なくなったときに、従来のコップよりも少ない傾きで、あるいは傾けなくてもコップ２０Ａ　内の液状物ＬＭを確実に口に流し込むことができるから、少量の液状物ＬＭを飲むときでも、顎をあげる必要がなかったり、また顎をあげる量を少なくすることができ、誤嚥を防ぐことができる。
【００２６】
ところで、開口部２０ｈ　の直径を確実に７．５ｃｍ以上とすれば、コップ２０Ａ　を大きく傾けても、開口部２０ｈ　内に鼻を確実に収容することができる（図９）。つまり、コップ２０Ａ　を大きく傾けても、その上端縁２０ｂ　が簡単に鼻に当たらないので、顎をあげる量が少なくても、コップ２０Ａ　内の液状物ＬＭを確実に全部口に流し込むことができる。
コップ２０Ａ　の内容積Ｖと、開口部２０ｈ　の半径ｒとの関係は、コップ２０Ａ　の傾斜角Ａとコップ２０Ａ　の深さｈを用いて、以下の式で表される。
Ｖ＝（ｈ・π・ｒ２　）／３
ｒ＝ｈ・ｔａｎＡ
（ただし、Ａの単位はラジアン）
このため、コップ２０Ａ　の傾斜角Ａに応じて、コップ２０Ａ　の深さｈを変化させれば、コップ２０Ａ　の開口部２０ｈ　の直径を７．５ｃｍに保ったままで、所望の内容積Ｖのコップ２０Ａ　を形成することができる。
とくに、コップ２０Ａ　の傾斜角Ａを１１度以上２０度以下とすれば、コップ２０Ａ　の開口部２０ｈ　の直径を７．５ｃｍに保ったままで、コップ２０Ａ　の内容積Ｖが１５０〜３００ｍｌ、つまり液状物を一杯、特に胃Ｘ線検査時に硫酸バリウム造影剤を一杯飲むのに最適な内容量で、持ちやすいコップ２０Ａ　とすることができる。
【００２７】
なお、コップ２０Ａ　の開口部２０ｈ　の直径は７．５ｃｍ以上でもよく、コップ２０Ａ　を大きく傾けても、開口部２０ｈ　内に鼻を確実に収容することができる大きさであれば、とくに限定されない。
【００２８】
さらになお、図１０に示すように、コップ２０Ａ　の上端縁２０ｂ　に切欠き２０ｇ　を形成すれば、開口部２０ｈ　の直径が７．５ｃｍ以下であったとしても、コップ２０Ａ　の上端縁２０ｂ　において、切欠き２０ｇ　が形成された部分と対向する部分に口をつけて液状物ＬＭを飲めば、コップ２０Ａ　を大きく傾けたときに、鼻を切欠き２０ｇ　に入れることができる。このため、コップ２０Ａ　を大きく傾けても、コップ２０Ａ　の上端縁２０ｂ　が鼻に当たることを防ぐことができるので、顎を上げなくてもコップ２０Ａ　内の液状物ＬＭを全て飲み干すことができる。
【００２９】
第２実施形態のコップ２０Ａ　は、基材２１を折り曲げて形成されているので、コップ２０Ａ　を簡単に製造することができる。そして、コップ２０Ａ　の製造に使用される原材料を少なくすることができるし、廃棄物を減量化することもできる。
そして、基材２１として、紙や、ポリエチレン、ポリプロピレン等、プラスチックを原材料とする単層または多層の薄いシート等、折り畳むことができる素材を使用しているので、廃棄物の容積を簡単に小さくすることができるし、焼却処理が可能であるから、廃棄物の処理が非常に容易になる。しかも、焼却処理しても有害物質が排出されないので、環境に悪影響を与えることを防ぐことができる。
【００３０】
また、図１２に示すように、前記シート状の基材２１として、略四角形状のもの、具体的には、一の頂点２１ａ　を形成する２つの辺２１ｆ　，２１ｆ　の間に形成される角の二等分線に対して左右対称であって、一の頂点２１ａ　の対角線に位置する対向頂点２１ｄ　が、この対向頂点２１ｄ　を形成する辺２１ｂ　，２１ｂ同士を結ぶ斜辺２１ｋ　が形成されたものを使用することができる。
以下に、この略四角形状の基材２１によって形成された第２実施形態のコップ２０Ｃを説明するが、コップ２０Ｃの効果を理解しやすくするために、単純な左右対称な四角形状の基材２１を丸めて形成されたコップ２０Ｂをまず説明する。
【００３１】
図１１に示すように、基材２１の形状を、展開した状態において左右対称の四角形とした場合、頂点２１ａ　を形成する辺２１ｆ，２１ｆ　同士を重ね合せ、糊代２１ｐ　によって基材２１を辺２１ｆ，２１ｆ　同士を重ね合わせた状態で固定すれば、頂点２１ａ　を頂点２０ａ　とし、一対の辺２１ｂ，２１ｂ　を上端縁２０ｂ　とするコップ２０Ｂ　を形成することができる。そして、コップ２０Ｂ　は、その上端縁２０ｂ　において、基材２１において頂点２１ｄ　であった部分Ｂと頂点２０ａ　との間の距離Ｈ１が、辺２１ｆ，２１ｆ　同士を重ね合せた部分Ｃ、つまり辺２１ｂ　の両端２１ｃ，２１ｃ　であった部分と頂点２０ａ　との間の距離Ｈ２よりも長くなるのである。
【００３２】
さて、第２実施形態のコップ１０Ｃを説明する。
図１２に示すように、第２実施形態のコップ１０Ｃは、前述したように、基材２１として、前記頂点２１ｄ　が、その頂点２１ｄ　を形成する辺同士、つまり一対の辺２１ｂ，２１ｂ　を結ぶ斜辺２１ｋ　が形成されるように切り取られた形状のものを使用しているから、コップ２０Ｃの上端縁２０ｂ　において、辺２１ｂ　と辺２１ｂ　の間に辺２０ｄ　が形成される（図７（ｃ））。
このため、辺２０ｄ　に口をあてて液状物ＬＭを飲めば、コップ２０Ｃの上端縁２０ｂ　と口とが当たる幅が広くなり、コップ２０Ｃの上端縁２０ｂ　と口との間にできる隙間を小さくできるから、隙間から液状物ＬＭがこぼれることを防ぐことができる。
なお、斜辺２１ｋ　は、直線状に形成しなくてもよく、曲線状に形成してもよい。
【００３３】
なお、基材２１の形状は、上述したような左右対称な四角形に限られず、五角形や六角形等であってもよく、左右対称な多角形であればよい。この場合、基材２１を、その一の頂点を形成する２辺が重なり合うように折り曲げれば、その２辺によって形成される頂点を下端とする略円錐状のコップ２０を形成することができる。このとき、コップ２０の上端縁に、複数の頂点のうちいずれか一の頂点が配置されるように折り曲げれば、コップ２０を、その上端縁と下端との間の距離が、上端縁の場所によって異なるように形成することができるから、コップ２０の上端縁において、その下端との間の距離が最も長い部分に口をつけて液状物ＬＭを飲めば、コップ２０を大きく傾けても、コップ２０の上端縁が鼻に当たることを防ぐことができるので、顎を上げなくてもコップ２０内の液状物ＬＭを全て飲み干すことができる。
【００３４】
なお、図１３に示すように、第２実施形態のコップ２０Ｄは、前記頂点２０ａ　が、下端に底辺２０ｅ　が形成されるように切り取られた形状であってもよい。この場合、コップ２０Ｄの底に液状物ＬＭが残ることを防ぐことができるので、コップ２０Ｄ内の液状物ＬＭを確実に全部飲み干すことができる。
【００３５】
【実施例】
つぎに、本発明のコップを用いて、人が液状物を飲んだときの状況を調べた例を示す。
本発明のコップには、傾斜角Ａ１０．５度、深さ２０．４ｃｍで３００　ｍｌのもの（実施例１）と、傾斜角Ａ１２．５度、深さ１７ｃｍで２５０　ｍｌのもの（実施例２）、傾斜角Ａ１６度、深さ１３．６ｃｍで２００　ｍｌのもの（実施例３）を使用した。
これらのコップを用いて、ボランティア１０人に液状物を飲んでもらったところ、いずれの実施例でも、首をあげることなく液状物を全て飲み干すことが可能であった。そして、コップを傾ける角度は、コップの中心軸が水平になった状態から、最大でも上方に５度程度であり、コップの上端縁が人の鼻には当たることがなかった。
また、コップを大きく傾けたときにおいて、コップの上端縁と鼻との相対的な位置を確認した。いずれの実施例も、コップを大きく傾けた場合、開口部内に鼻を収容することができることが確認された。いずれの実施例も、開口部の直径が７．５　ｃｍであり、開口部の直径が７．５　ｃｍであれば、仮にコップを大きく傾けても開口部内に確実に鼻を収容することができることが確認された。
【００３６】
【発明の効果】
請求項１の発明によれば、容器が略円錐状に形成されており、しかも、従来から使用されているコップに比べて、容器の中心線に対する側面の傾きを大きくすることができる。よって、コップ内の液状物の量が少なくなったときに、従来のコップよりも少ない傾きでコップ内の液状物を確実に口に流し込むことができるから、少量の液状物を飲むときでも、顎をあげる必要がなかったり、また顎をあげたとしてもその量を少なくすることができ、誤嚥を防ぐことができる。
請求項２の発明によれば、シート状の基材を略円錐状に丸めているだけであるから、簡単に製造することができ、しかも、原材料を少なくすることができるし、廃棄物を減量化することができる。また、基材が二等辺三角形であるから、この基材を、同じ長さの２辺が重なり合うように丸めれば、その２辺によって形成される頂点を下端とし、他の一辺を上端縁とする略円錐状のコップを形成することができる。すると、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。さらに、コップの上端縁において、同じ長さの２辺を重ね合せた部分の両側に一対の斜辺が配置されるが、この２辺の長さが斜辺形成前の二等辺三角形の高さよりも長くなるように一対の斜辺を形成し、一対の斜辺に口を当てて液状物を飲めば、コップの上端縁と口とが当たる幅が広くなる。すると、コップの上端縁と口との間にできる隙間を小さくできるから、隙間から液状物がこぼれることを防ぐことができる。逆に、２辺の長さが斜辺形成前の二等辺三角形の高さよりも短くなるように一対の斜辺を形成すれば、コップの上端縁に切欠きが形成されるから、切欠きが形成された部分と対向する部分に口をつけて液状物を飲めば、仮にコップを大きく傾けても鼻は切り欠きに入る。よって、コップの上端縁が鼻に当たることを防ぐことができるので、顎を上げなくてもコップ内の液状物を全て飲み干すことができる。
請求項３の発明によれば、シート状の基材を略円錐状に丸めているだけであるから、簡単に製造することができ、しかも、原材料を少なくすることができるし、廃棄物を減量化することができる。また、一の頂点を形成する２つの辺の間に形成される角の二等分線に対して対称な四角形であるから、その一の頂点を形成する２辺を重ね合せれば、その２辺によって形成される頂点を下端とし、他の２辺を上端縁とする略円錐状のコップを形成することができる。すると、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。しかも、対向頂点を切り取るように他の２辺を結ぶ斜辺が形成されているから、その斜辺に口をあてて液状物を飲めば、コップの上端縁と口とが当たる幅を広くすることができる。すると、コップの上端縁と口との間にできる隙間を小さくできるから、隙間から液状物がこぼれることを防ぐことができる。
請求項４の発明によれば、コップとしての機能を確保したまま、従来から使用されているコップに比べて、容器の中心線に対する側辺の傾きを大きくすることができるので、容器内の液状物を確実に飲むことができる。しかも、従来のコップよりも少ない傾きでコップ内の液状物を確実に全部口に流し込むことができるから、顎をあげる必要がなかったり、また顎をあげたとしてもその量を少なくすることができ、誤嚥を防ぐことができる。しかも、シート上の基材を折り曲げているだけであるから、簡単に製造することができ、原材料を少なくすることができるし、廃棄物を減量化することができる。
請求項５の発明によれば、基材が一の頂点を形成する２つの辺の間に形成される角の二等分線に対して対称な四角形であり、その対称軸でおり曲げて一の頂点を形成する辺同士を貼り合わせているから、その２辺によって形成される頂点を下端とし、他の２辺を上端縁とするコップを形成することができる。すると、コップを、その上端縁と下端との間の距離が、上端縁の場所によって異なるように形成することができる。よって、コップの上端縁において、その下端との間の距離が最も長い部分に口をつけて液状物を飲めば、コップを大きく傾けても、コップの上端縁が鼻に当たることを防ぐことができるので、顎を上げなくてもコップ内の液状物を全て飲み干すことができる。しかも、対向頂点を切り取るように他の２辺を結ぶ斜辺が形成されているから、その斜辺に口をあてて液状物を飲めば、コップの上端縁と口とが当たる幅を広くすることができる。すると、コップの上端縁と口との間にできる隙間を小さくできるから、隙間から液状物がこぼれることを防ぐことができる。
【図面の簡単な説明】
【図１】第１実施形態のコップ１０Ａの概略説明図であって、（Ａ）は斜視図であり、（Ｂ）は側面図である。
【図２】第１実施形態のコップ１０Ａを用いて液状物ＬＭを飲んでいる状況の概略説明図である。
【図３】切欠き１０ｇ　が形成されたコップ１０Ａの概略説明図であって、（Ａ）は斜視図であり、（Ｂ）は液状物ＬＭを飲んでいる状況の概略説明図である。
【図４】コップ１０Ｂの概略説明図であって、（Ａ）は基材１１の平面図であり、（Ｂ）は側面図であり、（Ｃ）は正面図である。
【図５】他の実施形態のコップ１０Ｃの概略説明図であって、（Ａ）は基材１１の平面図であり、（Ｂ）は側面図であり、（Ｃ）は正面図である。
【図６】コップ１０Ｄの概略説明図であって、（Ａ）は基材１１の平面図であり、（Ｂ）は側面図であり、（Ｃ）は正面図である。
【図７】他の実施形態のコップ１０Ｅの概略説明図であって、（Ａ）は基材１１の平面図であり、（Ｂ）は側面図であり、（Ｃ）は正面図である。
【図８】第２実施形態のコップ２０Ａ　の概略説明図であって、（Ａ）は斜視図であり、（Ｂ）は側面図である。
【図９】第２実施形態のコップ２０Ａ　を用いて液状物ＬＭを飲んでいる状況の概略説明図である。
【図１０】切欠き２０ｇ　が形成されたコップ２０Ａ　の概略説明図であって、（Ａ）は斜視図であり、（Ｂ）は液状物ＬＭを飲んでいる状況の概略説明図である。
【図１１】コップ２０Ｂ　の概略説明図であって、（Ａ）は基材１１の平面図であり、（Ｂ）は側面図であり、（Ｃ）は正面図である。
【図１２】他の実施形態のコップ２０Ｃの概略説明図であって、（Ａ）は基材１１の平面図であり、（Ｂ）は側面図であり、（Ｃ）は正面図である。
【図１３】コップ２０Ｄの概略側面図ある。
【符号の説明】
１０　　コップ
１１　　基材
１０ｇ　　切欠き
２０　　コップ
２１　　基材
２０ｇ　　切欠き